(57)【要約】      （修正有）【課題】薬剤に関する情報を容易に記入することができ、薬剤の取り出し前後において患者が記入内容を確認可能な薬剤包装用ＰＴＰシートを提供する。【解決手段】ＰＴＰシート１０は、薬剤１１を収容可能なポケット１６が上面側に突出された透光性の第１シート１４と、上記第１シート１４の下面に貼着されて、ポケット１６の開口を塞ぐ第２シートと、を備えている。第２シートにおける第１シート１４と張り合わされる側の面に、第１シート１４を透過して視認可能な薬剤に関する情報が記載されている。第１シート１４は、上面の少なくとも一部に、少なくとも鉛筆又はボールペンによって文字又は図柄を記入可能な記入領域１７を有する。【選択図】図１
0003173833.tif 000002
【実用新案登録請求の範囲】
【請求項１】
薬剤を収容可能なポケットが表裏面の一方である第１面側に突出された透光性の第１シートと、
上記第１シートにおける上記第１面と反対側の第２面に貼着されて、上記ポケットの開口を塞ぐ第２シートと、を備え、
上記第２シートにおける上記第１シートと張り合わされる側の面に、上記第１シートを透過して視認可能な薬剤に関する情報が記載されており、
上記第１シートは、上記第１面の少なくとも一部に、少なくとも鉛筆又はボールペンによって文字又は図柄を記入可能な記入領域を有する薬剤包装用ＰＴＰシート。
【請求項２】
上記第１シートは、熱可塑性樹脂の成形体である請求項１に記載の薬剤包装用ＰＴＰシート。
【請求項３】
上記第２シートは、アルミニウムフィルムである請求項１又は２に記載の薬剤包装用ＰＴＰシート。
【請求項４】
上記記入領域は、上記第１シートの第１面側がサンドブラスト加工又はエンボス加工されたものである請求項１から３のいずれかに記載の薬剤包装用ＰＴＰシート。
【請求項５】
上記記入領域は、上記第１シートの第１面側に、少なくとも鉛筆又はボールペンによって文字又は図柄を記入可能な被記録材料が設けられたものである請求項１から３のいずれかに記載の薬剤包装用ＰＴＰシート。
【請求項６】
上記被記録材料は、上記第１シートの第１面側に固着された少なくとも酸化チタンを含有する塗料である請求項５に記載の薬剤包装用ＰＴＰシート。
【請求項７】
上記被記録材料は、粘着剤によって上記第１シートの第１面側に貼着された第３シートである請求項５に記載の薬剤包装用ＰＴＰシート。
【請求項８】
上記第１シートの上記記入領域は、薬剤の服用の時期が記入される記入欄を構成し、
上記記入欄に記入された服用の時期と、上記第２シートにおける上記第１シートと張り合わされる側の面に記載された文字とが、薬剤の服用の時期を示す一文を構成する請求項１から７のいずれかに記載の薬剤包装用ＰＴＰシート。
【請求項９】
上記第２シートにおける上記第１シートと張り合わされる側の面に、「月」、「日」、及び「曜日」が間隔を空けてそれぞれ記載されており。
上記記入領域は、少なくとも上記間隔に対応する位置にそれぞれ配置されている請求項１から８のいずれかに記載の薬剤包装用ＰＴＰシート。
【請求項１０】
当該薬剤包装用ＰＴＰシートは、平面視において長方形状を呈しており、当該長方形の長さ及び幅のうち、一方が４〜１２ｃｍであり、他方が４〜７ｃｍである請求項１から９のいずれかに記載の薬剤包装用ＰＴＰシート。
【請求項１１】
上記第１シートは、当該薬剤包装用ＰＴＰシートを上記ポケット単位に分割する切断部を有しており、
当該薬剤包装用ＰＴＰシートの分割された一区分は、平面視において長方形状を呈しており、当該長方形の長さ及び幅のうち、一方が４〜１２ｃｍであり、他方が４〜７ｃｍである請求項１から９のいずれかに記載の薬剤包装用ＰＴＰシート。
【考案の詳細な説明】
【技術分野】
【０００１】
本考案は、薬剤包装用ＰＴＰシートに関する。
【背景技術】
【０００２】
ＰＴＰ（Ｐｒｅｓｓ  Ｔｈｒｏｕｇｈ  Ｐａｃｋａｇｅ）包装は、医薬品包装の分野において、錠剤やカプセル剤等の固形薬剤の包装に広く用いられている。ＰＴＰ包装は、主として、薬剤を収容するポケットを樹脂フィルムに成形し、ポケットに薬剤を充填した後、アルミ箔からなるシートでポケットを封止した包装体である。
【０００３】
従来より、薬剤を包装したＰＴＰシートに、薬剤師が薬剤に関する情報、たとえば、患者が薬剤を服用する時期を記入するという需要が存在する。薬剤に関する情報がＰＴＰシートに記入されていれば、それを確認した患者は、正しい用法で薬剤を服用することができる。
【０００４】
しかしながら、一般的な薬剤包装用のＰＴＰシートは、樹脂フィルムによって成形されているため、塗料が付着しにくい。そのため、パッケージングが為されたＰＴＰシートに、鉛筆、ボールペン、又はシャープペンシルなどの筆記具によって、文字や図柄を記入することは困難である。このような課題を解決するため、特許文献１には、薬剤の用法等を記入するための記入欄が設けられた薬剤用包装体が開示されている。
【先行技術文献】
【特許文献】
【０００５】
【特許文献１】特開平１０−２６４９６４
【考案の概要】
【考案が解決しようとする課題】
【０００６】
しかしながら、特許文献１に記載された薬剤用包装体では、記入欄６ａ，６ｂが、波封フィルム５における、収容物４（薬剤）の取り出し時に破れる部分に位置している。このため、患者が、誤って記入欄６ａ，６ｂを確認する以前に薬剤を取り出してしまった場合、患者が記入欄６ａ，６ｂに記入された情報が確認できなくなるという問題が存在する。
【０００７】
本考案は、上記事情に鑑みてなされたものであり、その目的は、薬剤に関する情報を容易に記入することができ、薬剤の取り出し前後において患者が記入内容を確認可能な薬剤包装用ＰＴＰシートを提供することにある。
【課題を解決するための手段】
【０００８】
(1)  本考案に係る薬剤包装用ＰＴＰシートは、薬剤を収容可能なポケットが表裏面の一方である第１面側に突出された透光性の第１シートと、上記第１シートにおける上記第１面と反対側の第２面に貼着されて、上記ポケットの開口を塞ぐ第２シートと、を備えている。上記第２シートにおける上記第１シートと張り合わされる側の面に、上記第１シートを透過して視認可能な薬剤に関する情報が記載されており、上記第１シートは、上記第１面の少なくとも一部に、少なくとも鉛筆又はボールペンによって文字又は図柄を記入可能な記入領域を有する。
【０００９】
第２シートにおける第１シートと張り合わされる側の面に、第１シートを透過して視認可能な薬剤に関する情報が記載されているため、患者は、薬剤に関する一般的な情報（たとえば、薬剤の名称、製造番号、又は使用期限）を確認することができる。また、患者は、薬剤師が記入領域に記入した薬剤に関する患者個別の情報（たとえば、服用の時期）を確認することができる。
【００１０】
上記の情報は、共に、第１シートの第１面側から視認することができるため、確認が容易である。
【００１１】
なお、本考案における第１シートの透光性とは、少なくとも第１シートを透過して第２シートに記載された情報を視認可能な程度に、第１シートが可視光を透過させる性質のことである。
【００１２】
(2)  上記第１シートは、熱可塑性樹脂の成形体であってもよい。
【００１３】
(3)  上記第２シートは、アルミニウムフィルムであってもよい。
【００１４】
(4)  上記記入領域は、上記第１シートの第１面側がサンドブラスト加工又はエンボス加工されたものであってもよい。
【００１５】
サンドブラスト加工又はエンボス加工によって、第１シートの第１面側に記入領域を容易に形成することができる。
【００１６】
(5)  上記記入領域は、上記第１シートの第１面側に、少なくとも鉛筆又はボールペンによって文字又は図柄を記入可能な被記録材料が設けられたものであってもよい。
【００１７】
被記録材料によって、第１シートの第１面側に記入領域を容易に形成することができる。
【００１８】
(6)  上記被記録材料は、上記第１シートの第１面側に固着された少なくとも酸化チタンを含有する塗料であってもよい。
【００１９】
(7)  上記被記録材料は、粘着剤によって上記第１シートの第１面側に貼着された第３シートであってもよい。
【００２０】
(8)  上記第１シートの上記記入領域は、薬剤の服用の時期が記入される記入欄を構成し、上記記入欄に記入された服用の時期と、上記第２シートにおける上記第１シートと張り合わされる側の面に記載された文字とが、薬剤の服用の時期を示す一文を構成してもよい。
【００２１】
(9)  上記第２シートにおける上記第１シートと張り合わされる側の面に、「月」、「日」、及び「曜日」が間隔を空けてそれぞれ記載されていてもよい。上記記入領域は、少なくとも上記間隔に対応する位置にそれぞれ配置されていてもよい。
【００２２】
「月」、「日」、及び「曜日」が事前に記入されていることで、薬剤師は、記入領域が服用の時期を記入するための領域であることにすぐに気づくことができる。また、患者は、記入領域に記入された文字が、服用の時期を示していることにすぐに気づくことができる。
【００２３】
(10)  当該薬剤包装用ＰＴＰシートは、平面視において長方形状を呈しており、当該長方形の長さ及び幅のうち、一方が４〜１２ｃｍであり、他方が４〜７ｃｍである。
【００２４】
このようなサイズの薬剤包装用ＰＴＰシートは、患者が口に入れたり飲み込むことが困難である。したがって、患者が薬剤を取り出すことなく薬剤包装用ＰＴＰシートごと誤飲してしまう可能性を低減することができる。
【００２５】
なお、本考案における長方形状とは、角の周辺部が曲線状のものを含む。つまり、四隅がＲ加工された薬剤包装用ＰＴＰシートも本考案の技術的範囲に属するものである。また、当該長方形が正方形である場合、直交する２辺に沿った寸法のうち、どちらが正方形の長さ又は幅と解釈されてもよい。
【００２６】
(11)  上記第１シートは、当該薬剤包装用ＰＴＰシートを上記ポケット単位に分割する切断部を有しており、当該薬剤包装用ＰＴＰシートの分割された一区分は、平面視において長方形状を呈しており、当該長方形の長さ及び幅のうち、一方が４〜１２ｃｍであり、他方が４〜７ｃｍである
【００２７】
このような当該薬剤包装用ＰＴＰシートは、薬剤単位に分割された後においても、患者による誤飲の可能性を低減することができる。
【考案の効果】
【００２８】
本考案に係る薬剤包装用ＰＴＰシートによると、薬剤に関する情報を容易に記入することができ、薬剤の取り出し前後において患者が記入内容を確認可能である。
【図面の簡単な説明】
【００２９】
【図１】図１は、セル１２単位に分割されたＰＴＰシート１０の外観斜視図である。（Ａ）は、薬剤１１が収容されていない状態を示し、（Ｂ）は、薬剤１１が収容された状態を示している。
【図２】図２は、２つのセル１２が結合されたＰＴＰシート１０の外観斜視図である。
【図３】図３は、セル１２単位に分割されたＰＴＰシート１０を第三角法により示す図である。
【図４】図４は、第２シートに文字や図柄が記載された領域を示す図である。（Ａ）は上面、（Ｂ）は下面をそれぞれ示している。
【図５】図５は、本考案の実施形態の変形例３に係るＰＴＰシート１０を示す図である。
【考案を実施するための形態】
【００３０】
以下、適宜図面を参照して本考案の実施形態について説明する。なお、以下に説明される実施形態は本考案の一例にすぎず、本考案の要旨を変更しない範囲で、本考案の実施形態を適宜変更できることは言うまでもない。なお、以下の説明において、上下を基準として上下方向５が定義され、上下方向５と垂直な方向に前後方向６が定義され、上下方向５及び前後方向６とそれぞれ垂直な方向に左右方向７が定義されている。
【００３１】
［ＰＴＰシート１０の概略構成］
図１に示されるように、ＰＴＰシート１０は、平面視において概ね矩形のシートである。図１（Ｂ）に示されるように、ＰＴＰシート１０は、内側に錠剤やカプセル剤（以下、これらをまとめて薬剤１１とする。）が封止された状態で実施される。また、図２の例においては、１つの薬剤１１を封止する区分であるセル１２（本考案の一区分の一例）が前後方向６に２つ並べられて、ＰＴＰシート１０が構成されている。つまり、図２のＰＴＰシート１０には、計２つの薬剤１１が封止されている。
【００３２】
セル１２の境界には、スリット１３（本考案の切断部の一例）が形成されている。ＰＴＰシート１０は、薬剤師や患者の手によって、スリット１３に沿って折り曲げられたり、あるいは、切り離されて、単一のセル１２まで分割されることができる。セル１２の前後方向６の寸法は４〜１２ｃｍであり、好ましくは５〜６ｃｍである。本実施形態においては、５．５ｃｍの例が示される。また、左右方向７の寸法は、４〜７ｃｍであり、好ましくは５．５〜６．５ｃｍである。本実施形態においては、５．８ｃｍの例が示される。なお、以下の説明において、分割されていない複数のセル１２の集合、及び分割された後の単一のセル１２が、それぞれＰＴＰシート１０と称される。
【００３３】
ＰＴＰシート１０は、ポリプロピレンにより成型された第１シート１４とアルミニウムフィルムである第２シート１５とが貼着されたものである。第１シート１４に形成されたポケット１６に、薬剤１１が収容されている。ポケット１６の開口は第２シート１５によって閉塞されている。
【００３４】
患者の指先によって第１シート１４のポケット１６が押圧されると、ポケット１６が弾性変形して、薬剤１１を第２シート１５側へ押圧する。薬剤１１が第２シート１５を押し破ることで、薬剤１１が開口を通じてポケット１６から取り出される。
【００３５】
また、第１シート１４の貼着されていない側の面には、記入領域１７が形成されている。記入領域は、鉛筆又はボールペンなどの筆記具によって文字が記入される領域である。記入領域は、セル１２ごとに設けられている。薬剤師は、薬剤１１に関する情報、たとえば、患者が薬剤１１を服用する時期を、記入領域１７に記入する。患者は、記入領域１７の記載を確認して、正しい用法で薬剤１１を服用することができる。
【００３６】
以下、ＰＴＰシート１０の各構成部材がより詳細に説明される。以下の説明において、各シートの上面及び下面は、図１，２における上下方向５を基準としたものである。また、第１シート１４の上面が本考案の第１面に、下面が本考案の第２面にそれぞれ相当する。
【００３７】
［第１シート１４］
図１〜３に示される第１シート１４は、熱可塑性樹脂であるポリプロピレン（ＰＰ）によって真空成形されたシートである。第１シート１４は、一定の透光性を有している。これにより、患者は、第１シート１４を透過して、後述される第２シート１５の領域Ｅ１〜Ｅ５に記載された文字や図柄を視認することができる。
【００３８】
ただし、第１シート１４には、第２シート１５に記載された文字や図柄を視認可能な程度の透光性を有しており、且つ、指先の押圧によって弾性変形可能なものであれば、他の樹脂が用いられてもよい。たとえば、第１シート１４には、ポリ塩化ビニル（ＰＶＣ）、ポリエチレンテレフタレート（ＰＥＴ）、又は環状ポリオレフィンが使用されてもよい。あるいは、樹脂の層が異なる薄膜によってコーティングされて、第１シート１４が構成されていてもよい。あるいは２種類以上の樹脂の層がラミネートされて、第１シート１４が構成されていてもよい。
【００３９】
第１シート１４は、各セル１２の４隅に相当する部分が、曲線状にカットされている。これは、患者がセル１２の角によって手を傷つけることを防止するためである。
【００４０】
セル１２の境界にはスリット１３が形成されている。スリット１３は、第１シート１４の上面に形成された概ねＶ字状の溝である、スリット１３の深さは、第１シート１４の厚みの半分よりもやや深い。あるいは、スリット１３は、微小な孔が周期的に形成されたミシン目であってもよい。あるいは、溝とミシン目とが重畳されて設けられたものがスリット１３であってもよい。ＰＴＰシート１０の製造段階において、周縁に刃が形成されたローラが、第１シート１４の上面を押圧した状態で相対的に移動する。こうして、第１シート１４にスリット１３が形成される。
【００４１】
分割された後のセル１２は、平面視において長方形状を呈している。セル１２の前後方向６の寸法が５．５ｃｍであり、左右方向７の寸法が５．８ｃｍである。これは患者が誤飲することを防止することができる大きさである。ただし、各セル１２の寸法は、これに限られるものではない。たとえば、セル１２は、前後方向６の寸法と左右方向７の寸法とが互いに等しく、平面視において正方形状を呈していてもよい。あるいは、セル１２は、左右方向７の寸法よりも前後方向６の寸法が大きいものであってもよい。
【００４２】
第１シート１４のうち、各セル１２に１つずつ、ポケット１６が設けられている。ポケット１６は、各セル１２において、前後方向６の中央よりもやや後方、且つ左右方向７の中央よりもやや右側に設けられている。
【００４３】
ポケット１６は、第１シート１４が上方へ突出するようにドーム状に成形されたものである。つまり、ポケット１６において、第１シート１４の上面は上方へ突出され、下面は上方へ陥没されている。この陥没された部分に、薬剤１１が収容される内部空間が形成されている。この内部空間と外部空間とを連続する開口が、第１シート１４の下面側に開かれている。ポケット１６の寸法は、薬剤１１を完全に収容可能なものであり、薬剤１１の大きさによって適宜変更される。
【００４４】
第１シート１４のうち、各セル１２に２つずつ、凸部１８が設けられている。２つの凸部１８は、各セル１２において、ポケット１６よりも僅かに前方に設けられている。そして、２つの凸部１８は、左右方向７の両端に離間されて、一対を為している。
【００４５】
凸部１８は、ポケット１６と同様に第１シート１４がドーム状に成形されたものである。一方、ポケット１６との相違点として、凸部１８が形成する内部空間には、薬剤１１が収容されていない。凸部１８の突出端は、円形の平面状に成形されている。第１シート１４の上面から凸部１８の突出端までの距離は、第１シート１４の上面からポケット１６の突出端までの距離よりも長く取られている。
【００４６】
第１シート１４同士が対向するように２枚のＰＴＰシート１０が重ねられる場合、凸部１８及びポケット１６が互いにオフセットされて配置される。各凸部１８は、対向する第１シート１４を支える。これにより、第１シート１４間に間隙ができる。この間隙により、ポケット１６は、対向する第１シート１４と当接しない状態に維持される。
【００４７】
凸部１８よりも更に前方には、シール２０（本考案の被記録材料及び第３シートの一例）が貼着されている。シール２０は、帯状にカットされた紙シートである。シール２０の表裏面の一方に粘着剤が塗布されている。シール２０は、この粘着剤によって、左右方向７を長手方向として第１シート１４の上面に貼着されている。シール２０の表裏面のうち、粘着剤が塗布されていない側の面が上方に露出されている。この面には、薬剤師が、鉛筆やボールペンなどの筆記具によって、薬剤１１に関する情報を記入することができる。以下、第１シート１４の上面のうち、シール２０が貼着された領域が、記入領域１７と称される。
【００４８】
［第２シート１５］
第２シート１５は、ポケット１６に薬剤１１が収容された状態において、第１シート１４の下面側に貼着されたアルミニウムフィルムである。第２シート１５によって、ポケット１６の開口は閉ざされ、薬剤１１はポケット１６の内側に封止されている。
【００４９】
薬剤１１の取り出しの際、患者は指先によってポケット１６を押圧する。これにより、ポケット１６が弾性変形し、薬剤１１は、ポケット１６越しに患者の指先によって第２シート１５側へ押圧される。薬剤１１は、第２シート１５を押し破って、ポケット１６の開口から外部に取り出される。
【００５０】
第２シート１５の厚みは、薬剤１１からの一定の押圧力によって破かれる程度の厚みにされている。本実施形態においては。第２シート１５の厚みは２０μｍである。ただし、第２シート１５の厚みは、薬剤１１の硬さ、たとえば、薬剤１１が錠剤であるか又はカプセル剤であるかに応じて適宜変更されてもよい。また、第２シート１５の材料も上記の要件を満たすものであれば、アルミニウム以外のものが用いられてもよい。たとえば、第２シート１５は、アルミニウム以外の金属であってもよく、アルミニウムと他の金属の合金であってもよい。また、ポケット１６の気密性を確保できるものであれば、第２シート１５に他の化学材料が用いられてもよい。
【００５１】
ポケット１６に薬剤１１が収容された状態において、第１シート１４と第２シート１５とは、加熱状態おいて圧着される。その際、熱によって半溶解された第１シート１４の下面が凝固することで、第１シート１４と第２シート１５とが溶着される。
【００５２】
第２シート１５の上面及び下面には、それぞれ、薬剤師や患者が視認可能な文字や図柄が記載されている。第２シート１５の上面に記載された文字や図柄は、第１シート１４を透過して、第１シート１４の上面から視認可能である。
【００５３】
図４（Ａ）に示されるように、第２シート１５の上面の領域Ｅ１には、薬剤１１の製造番号が記載されている。領域Ｅ２には、薬剤１１の使用期限が記載されている。領域Ｅ３には、薬剤１１の重量が記載されている。領域Ｅ４には、薬剤１１の名称が記載されている。領域Ｅ５には、ＰＴＰシート１０から薬剤１１を取り出す方法を示す図柄が記載されている。
【００５４】
また、図４（Ｂ）に示されるように、第２シート１５の下面において、領域Ｅ６には、全ての患者に共通する薬剤１１の用法が記載されている。たとえば「朝起きたら食事の前に１錠」、「コップ１杯の水でかまずに」、「水以外の飲食や横になるのは３０分後から」、「飲み忘れた場合：気づいた日の日の翌朝に１錠のんでください。」などの注意書きが記載されている。領域Ｅ７には、領域Ｅ３と同様に、ＰＴＰシート１０から薬剤１１を取り出す方法を示す図柄が記載されている。
【００５５】
第２シート１５に記載された文字や図柄は、インクが塗布、またはインクジェット方式によって吹き付けられることで印刷される。第１シート１４と第２シート１５とは加熱状態において圧着されるため、インクには、アルミニウムとの接着力が強い液熱硬化型インクが使用される。たとえば主体樹脂として変成ポレオレフィン樹脂、希釈溶剤としてトルエンやメチルエチルケトンが用いられたインクが使用される。
【００５６】
［実施形態の作用効果］
本実施形態において、第１シート１４の上面に記入領域１７が形成されているため、薬剤師は、患者が薬剤１１を服用する時期など、薬剤１１に関する患者個別の情報を記入することができる。
【００５７】
また、患者は、患者個別の情報に基づき、適正に薬剤１１を服用することができる。例えば、隔週または隔月に服用する薬剤１１の場合、薬剤師の指示どおり適正に服用することができる。
【００５８】
また、記入領域１７が、ポケット１６や凸部１８よりも前方側に確保されているため、薬剤師は記入領域１７より後方側を押さえた状態で容易に記入を行うことができる。
【００５９】
また、記入領域１７が形成された面と同じ面から、薬剤１１の形状や名称を確認できるため、薬剤師が薬剤１１に関する誤った情報を記入するリスクが低減される。また、患者は、薬剤１１を服用する時期などを薬剤１１の形状や名称と同時に確認することができるため、誤った用法で薬剤１１を服用してしまうリスクが低減される。
【００６０】
また、記入領域１７は第２シート１５ではなく第１シート１４に形成されているため、患者が薬剤１１を取り出して、第２シート１５が破かれた後においても、患者は、記入領域１７に記入された薬剤１１に関する情報を確認することができる。
【００６１】
また、シール２０によって記入領域１７が形成されているため、ＰＴＰシート１０は低コストで製造される。
【００６２】
［変形例１］
上述した実施形態において、第１シート１４にシール２０が貼着されて、記入領域１７が形成されていた。しかしながら、記入領域１７は異なる方法で形成されてもよい。たとえば、第１シート１４の上面がサンドブラスト加工又はエンボス加工されることで、記入領域１７が形成されてもよい。
【００６３】
サンドブラスト加工が行われる場合、第１シート１４に微細な粒子が打ち付けられて、凹凸が形成される。エンボス加工が行われる場合、表面に凹凸の形状を有した加熱されたローラなどが第１シート１４に押し当てられて、凹凸が形成される。凹凸が形成されることで、第１シート１４の面は、インクを保持しやすくなり、鉛筆やボールペンなどの筆記具によって文字や図柄を記載しやすくなる。
【００６４】
［変形例２］
また、記入領域１７は、第１シート１４の上面がインクの乗りやすい材料によってコーティングされることによって、形成されていてもよい。コーティングには、溶液コーティング、押出コーティング、又は蒸着などの方法が用いられる。一例として酸化チタンを含有する塗料の層（本考案の被記録材料の一例）が溶液コーティングによって形成されてもよい。また、第１シート１４の上面全域にコーティングが形成された後、ポケット１６や凸部１８が形成されてもよい。この場合、第１シート１４の透光性は維持される。
【００６５】
［変形例３］
上述した実施形態において、記入領域１７によって、患者が薬剤１１を服用する時期が記入される記入欄が構成されていてもよい。本変形例では、図５に示されるように、第２シート１５の上面に、「月」、「日」、「曜日に１錠のんでください。」の文字が左右方向７に離間されてそれぞれ記載されている。第１シート１４の上面のうち、上記３つの文字の左側に対応する領域にそれぞれ、記入領域１７が形成されている。記入領域１７は、上述した方法のうち、いずれの方法で実現されてもよい。
【００６６】
たとえば、患者が薬剤１１を服用すべき日が、１１月１７日の木曜日である場合、薬剤師は、左側の記入領域１７に「１１」を、中央の記入領域１７に「１７」を、右側の記入領域１７に「木」を、それぞれ記入する。そうすると、第２シート１５に予め記載された上記の文字と、薬剤師によって記入領域１７に記入された文字とによって、「１１月１７日木曜日に１錠のんでください。」という一文が構成される。
【００６７】
仮に、第１シート１４の上面から単に日付のみが確認可能である場合、患者は当該日付の意味をすぐには理解できない場合がある。本変形例のように患者が薬剤１１を服用すべき時期を示す一文が構成されることで、患者がその時期を容易に理解することができる。また、第２シート１５の上面に記載された文字は、外気に晒されていないため、かすれたり消えたりすることがない。そのため、読み違いによって異なる意味に解釈されてしまう可能性が低い。
【００６８】
また、第２シート１５の上面において、当該一文の周囲の領域Ｅ８が他とは異なる色に色づけされて、目立ちやすくされていてもよい。また、図５に示されるように、第２シート１５の上面において、当該一文の前方に、「毎日のむお薬ではありません。」などの補足のための一文が記載されていてもよい。
【００６９】
ただし、上記の一文は一例であり、上記のものとは異なる一文が構成されてもよい。たとえば、「朝」、「昼」、「夕」のいずれかを記入するための記入領域１７が更に設けられていてもよい。全ての記入欄に記入が行われることで、たとえば、「１１月１７日木曜日の夕食後に１錠のんでください。」などの一文が構成されてもよい。
【００７０】
［その他の変形例］
上述された実施形態において、記入領域１７の位置や大きさは、適宜変更されてもよい。たとえば、第１シート１４の上面全体が鉛筆やボールペンなどの筆記具によって文字や図柄を記入可能に加工されていてもよい。また、第２シート１５の領域Ｅ１〜Ｅ７に記載される文字や図柄も、患者に伝えるべき情報に応じて適宜変更されてもよい。
【００７１】
また、上述された実施形態において、図２に示されるＰＴＰシート１０は、前後方向６に沿って２つのセル１２が配置されたものであったが、３つ以上のセル１２が配置されてもよい。あるいは、左右方向７に沿って複数のセル１２が配置されてもよいし、前後方向６及び左右方向７に沿ってそれぞれ複数のセル１２が配置されてもよい。なお、どのようなセル１２の配置においても、セル１２の境界に沿って、スリット１３が設けられる。
【符号の説明】
【００７２】
１０・・・ＰＴＰシート
１１・・・薬剤
１３・・・スリット（切断部）
１４・・・第１シート
１５・・・第２シート
１６・・・ポケット
１７・・・記入領域
１８・・・凸部
２０・・・シール（被記録材料、第３シート）
【図１】
0003173833.tif 000003
【図２】
0003173833.tif 000004
【図３】
0003173833.tif 000005
【図４】
0003173833.tif 000006
【図５】
0003173833.tif 000007